(57)【要約】  一実施形態に係るアダプタ取付構造は、光コネクタが接続される複数のアダプタ１１をラックに取り付けるアダプタ取付構造１０である。アダプタ取付構造１０は、複数のアダプタ１１のそれぞれが挿通される挿通孔２１ａを有すると共に、挿通された複数のアダプタ１１をラックの表側に露出し、ラックに固定される第１パネル２０と、第１パネル２０よりもラックの裏側において第１パネル２０と固定されると共に、複数のアダプタ１１のそれぞれを固定する第２パネル３０と、を備える。
2020085395.tif 000002
【特許請求の範囲】
【請求項１】
光コネクタが接続される複数のアダプタをラックに取り付けるアダプタ取付構造であって、
前記複数のアダプタのそれぞれが挿通される挿通孔を有すると共に、挿通された前記複数のアダプタを前記ラックの表側に露出し、前記ラックに固定される第１パネルと、
前記第１パネルよりも前記ラックの裏側において前記第１パネルと固定されると共に、前記複数のアダプタのそれぞれを固定する第２パネルと、
を備えるアダプタ取付構造。
【請求項２】
前記第１パネルは、前記ラックの裏側に折り曲げられる第１折り曲げ部を有する、
請求項１に記載のアダプタ取付構造。
【請求項３】
前記第２パネルは、前記第１折り曲げ部に沿うように折り曲げられる第２折り曲げ部を有する、
請求項２に記載のアダプタ取付構造。
【請求項４】
前記第１パネルは、前記アダプタを露出する表面部を含んでおり、
前記第１折り曲げ部は、前記表面部の左右方向の両端から前記ラックの裏側に延びる一対の第１側面部と、前記表面部の下端から前記ラックの裏側に延びる底面部とを含む、
請求項２または請求項３に記載のアダプタ取付構造。
【請求項５】
前記第１折り曲げ部は、前記底面部の前記左右方向の両端から上方に延びる一対の第２側面部を更に含む、
請求項４に記載のアダプタ取付構造。
【請求項６】
前記第１側面部及び前記第２側面部のそれぞれは、前記第２パネルにネジ止めされている、
請求項５に記載のアダプタ取付構造。
【発明の詳細な説明】
【技術分野】
【０００１】
本開示の一側面は、アダプタ取付構造に関する。
本出願は、２０１８年１０月２３日の日本出願第２０１８−１９９４３６号に基づく優先権を主張し、前記日本出願に記載された全ての記載内容を援用するものである。
【背景技術】
【０００２】
特許文献１には、光コードを接続するための複数の光アダプタが実装されたアダプタパネルの取付構造が記載されている。アダプタパネルの取付構造では、左右に並ぶ２枚のアダプタパネルのそれぞれがシャーシの前端に取り付けられる。アダプタパネルは、シャーシの前面パネルに沿って延びる板状とされている。アダプタパネルには、シャーシの前面パネルに形成された取付孔に嵌合するラッチと、前面パネルの左右方向中央に位置する掛止部品に係止される爪状突起部とを有する。ラッチが取付孔に嵌合すると共に、爪状突起部が掛止部品に掛止されることによって、シャーシにアダプタパネルが取り付けられる。ラッチはアダプタパネルの左右方向の一端に設けられ、爪状突起部はアダプタパネルの左右方向の他端に設けられる。【０００３】
特許文献２には、光コネクタ接続パネルが記載されている。光コネクタ接続パネルは、ラックの内部において鉛直方向に沿って配置された複数のマウントアングル（支持体）に取り付けられる。光コネクタ接続パネルは、矩形箱状とされたパネル本体を備える。パネル本体の前面には、複数の光アダプタが固定されたアダプタパネルが取り付けられている。アダプタパネルにおいて複数の光アダプタは格子状に配列されており、アダプタパネルは横長に延びる長方形状とされている。
【先行技術文献】
【特許文献】
【０００４】
【特許文献１】特開２００９−２９４５３１号公報
【特許文献２】特開２００３−２９０５５号公報
【発明の概要】
【０００５】
本開示の一側面に係るアダプタ取付構造は、光コネクタが接続される複数のアダプタをラックに取り付けるアダプタ取付構造である。アダプタ取付構造は、ラックの表側に複数のアダプタを露出すると共に、ラックに固定される第１パネルと、第１パネルよりもラックの裏側において第１パネルと固定されると共に、複数のアダプタのそれぞれを固定する第２パネルと、を備える。
【図面の簡単な説明】
【０００６】
【図１】図１は、第１実施形態に係るアダプタ取付構造を備えたモジュールの例を示す図である。
【図２】図２は、図１のモジュールを裏側から見た図である。
【図３】図３は、図１のアダプタ取付構造を示す斜視図である。
【図４】図４は、図３のアダプタ取付構造から第１パネルを外した斜視図である。
【図５】図５は、図３のアダプタ取付構造の第１パネルを示す斜視図である。
【図６】図６は、図５の第１パネルを示す側面図である。
【図７】図７は、図３のアダプタ取付構造の第２パネルを示す正面図である。
【図８】図８は、図７の第２パネルを示す斜視図である。
【図９】図９は、第２実施形態に係るアダプタ取付構造を示す斜視図である。
【図１０】図１０は、図９のアダプタ取付構造を図９とは異なる方向から見た斜視図である。
【発明を実施するための形態】
【０００７】
［本開示が解決しようとする課題］
前述した各アダプタパネルは板状とされており、板状のアダプタパネルに複数のアダプタが取り付けられている。複数のアダプタのそれぞれには光コネクタが接続される。アダプタパネルが板状とされている場合、アダプタに対する光コネクタの接続に伴うアダプタパネルの撓みが懸念される。特に、アダプタパネルに取り付けられたアダプタの数が多く、アダプタパネルに複数のアダプタが高密度に配列されている場合、アダプタに対する光コネクタの接続時等にアダプタパネルが変形することが懸念される。
【０００８】
前述した各アダプタパネルでは、アダプタパネルから複数のアダプタが突出している。アダプタパネルに取り付けられたアダプタの数が多い場合には、複数のアダプタのそれぞれを識別するためにアダプタパネルに識別番号が設けられることがある。このときに、アダプタパネルからのアダプタの突出量が多い場合、アダプタの突出によって上記の識別番号が見えづらくなることが懸念される。従って、アダプタパネルでは、変形を抑えると共にアダプタの突出量を抑えることが求められる。
【０００９】
本開示の一側面は、変形を抑えることができると共にアダプタの突出量を低減させることができるアダプタ取付構造を提供することを目的とする。
【００１０】
［本開示の効果］
本開示によれば、変形を抑えると共にアダプタの突出量を低減させることができる。
【００１１】
［実施形態の説明］
最初に本開示の実施形態の内容を列記して説明する。一実施形態に係るアダプタ取付構造は、光コネクタが接続される複数のアダプタをラックに取り付けるアダプタ取付構造である。アダプタ取付構造は、複数のアダプタのそれぞれが挿通される挿通孔を有すると共に、挿通された複数のアダプタをラックの表側に露出し、ラックに固定される第１パネルと、第１パネルよりもラックの裏側において第１パネルと固定されると共に、複数のアダプタのそれぞれを固定する第２パネルと、を備える。
【００１２】
一実施形態に係るアダプタ取付構造は、ラックに固定されると共にアダプタを露出する第１パネルと、第１パネルに固定されると共にアダプタを固定する第２パネルとを備える。アダプタ取付構造はラックの表側に位置する第１パネルとラックの裏側に位置する第２パネルとを備え、２枚のパネルが一体となったパネルに複数のアダプタのそれぞれが取り付けられる。従って、２枚のパネルによって強度を高めることができるので、パネルの変形を抑制することができる。複数のアダプタのそれぞれは、第１パネルからラックの表側に露出すると共に、第１パネルよりもラックの裏側に位置する第２パネルに固定される。ラックの裏側に位置する第２パネルに各アダプタが固定されることにより、第１パネルからのアダプタの突出量を低減させることができる。例えばアダプタ取付構造にアダプタを識別する識別番号が設けられる場合であっても、各アダプタの突出量が抑えられていることによって当該識別番号を見やすくすることができる。
【００１３】
一実施形態に係るアダプタ取付構造において、第１パネルは、ラックの裏側に折り曲げられる第１折り曲げ部を有してもよい。この場合、第１パネルがラックの裏側に折り曲げられる第１折り曲げ部を有することにより、第１パネルの強度を高めることができる。従って、アダプタに対する光コネクタの接続等に伴う第１パネルの変形をより確実に抑えることができる。
【００１４】
一実施形態に係るアダプタ取付構造において、第２パネルは、第１折り曲げ部に沿うように折り曲げられる第２折り曲げ部を有してもよい。この場合、複数のアダプタを固定する第２パネルが第２折り曲げ部を有するので、第２パネルの強度を高めることができる。従って、アダプタへの外力の付与に伴う第２パネルの変形をより確実に抑えることができる。
【００１５】
一実施形態に係るアダプタ取付構造において、第１パネルは、アダプタを露出する表面部を含んでいてもよい。第１折り曲げ部は、表面部の左右方向の両端からラックの裏側に延びる一対の第１側面部と、表面部の下端からラックの裏側に延びる底面部とを含んでもよい。この場合、第１折り曲げ部が一対の第１側面部と底面部とを含むことにより、第１パネルの強度を一層高めることができる。その結果、第１パネルの変形を一層確実に抑制することができる。
【００１６】
一実施形態に係るアダプタ取付構造において、第１折り曲げ部は、底面部の左右方向の両端から上方に延びる一対の第２側面部を更に含んでもよい。この場合、第１折り曲げ部が第２側面部を更に含むことにより、光コネクタの接続等に伴う変形を更に確実に抑制することができる。
【００１７】
一実施形態に係るアダプタ取付構造において、第１側面部及び第２側面部のそれぞれは、第２パネルにネジ止めされていてもよい。この場合、第１パネルの第１側面部及び第２側面部のそれぞれが第２パネルにネジ止めされることにより、第１パネル及び第２パネルの固定を一層強固にすることができると共に、第１パネル及び第２パネルの板金溶接等を不要とすることができる。従って、板金溶接等のコストを抑えることができると共に、第１パネル及び第２パネルの仕上がりの外観を良好にすることができる。
【００１８】
［実施形態の詳細］
本開示の実施形態に係るアダプタ取付構造の具体例を図面を参照しながら説明する。本開示は、以下の具体例に限定されるものではなく、請求の範囲に示され、請求の範囲と均等の範囲における全ての変更が含まれることが意図される。図面の説明において、同一又は相当する要素には同一の符号を付し、重複する説明を適宜省略する。
【００１９】
（第１実施形態）
図１は、第１実施形態に係るアダプタ取付構造１０を備えた例示的なモジュール１を示す平面図である。図２は、モジュール１のアダプタ取付構造１０との反対側を示す側面図である。アダプタ取付構造１０は、光コネクタが接続される複数のアダプタ１１をラックに取り付ける構造であり、複数のアダプタ１１を露出した状態で保持する。一例として、モジュール１は、データセンタのラックに取り付けられるカセット式の機器であって、ラックの光配線架を構成する。モジュール１は、長手方向である第１方向Ｄ１、幅方向である第２方向Ｄ２、及び高さ方向である第３方向Ｄ３に延びる矩形箱状とされている。
【００２０】
アダプタ取付構造１０は、モジュール１の第１方向Ｄ１の一端に設けられている。モジュール１の第１方向Ｄ１の他端にはアダプタ３が設けられている。アダプタ３は、例えば、ＭＰＯコネクタが接続されるＭＰＯアダプタである。この場合、モジュール１は、ＭＰＯコネクタと単心コネクタとのプラグアンドプレイ接続を行うＭＰＯカセットであってもよい。例えば、モジュール１の内部には、複数の光導波部材（一例として光ケーブル）が配線されている。複数の光導波部材のそれぞれには、アダプタ３に接続される多心のＭＰＯコネクタが光接続する。
【００２１】
複数の光導波部材のそれぞれは、複数のアダプタ１１のそれぞれに接続された光コネクタと光接続する。一例として、アダプタ３には２４心のＭＰＯコネクタが接続する。例えば、モジュール１の内部には２４本の光ケーブルが配線されており、２４本の光ケーブルのそれぞれは２４個のアダプタ１１のそれぞれに接続された光コネクタと光接続する。アダプタ取付構造１０では、例えば、光コネクタ２４個分のアダプタ１１が格子状に配列されている。２４個分のアダプタ１１は、例えば、光コネクタ２個分（２連）が一組となったアダプタが、上下２段にそれぞれ６個ずつ、計１２個（２段×６個）並んで構成されている。例えば、各アダプタ１１は２連ＬＣアダプタであり、各アダプタ１１に接続される光コネクタはＬＣコネクタである。この場合、モジュール１は、単心のＬＣコネクタと多心のＭＰＯコネクタとを互いに光接続するＭＰＯカセットモジュールである。
【００２２】
例えば、モジュール１は、ラックに対して着脱される複数のシャーシのそれぞれに取り付けられ、シャーシに嵌合するナイラッチ２を備える。なお、モジュール１は、シャーシ以外のもの（例えばＭＰＯカセットベース）を介してラックに取り付けられてもよい。ナイラッチ２は、例えば、アダプタ取付構造１０の第２方向Ｄ２の両端のそれぞれに設けられる。
【００２３】
図３は、アダプタ取付構造１０を示す斜視図である。図４は、アダプタ取付構造１０から第１パネル２０を外した構成を示す斜視図である。図３及び図４に示されるように、アダプタ取付構造１０は、ラックに固定されると共にラックの表側に露出する第１パネル２０と、ラックの裏側に位置する第２パネル３０とを備える。
【００２４】
図３に示されるように、第１パネル２０は、第２パネル３０よりもラックの表側に配置され、複数のアダプタ１１をラックの表側に露出する。ここで「表側」とは、第１方向Ｄ１の一方側（図３では左斜め下方向）に相当し、ラックにアダプタ取付構造１０が取り付けられたときにラックの外側を向く方向を示している。「裏側」とは、第１方向Ｄ１の他方側（図３では右斜め上方向）に相当し、ラックにアダプタ取付構造１０が取り付けられたときにラックの内側を向く方向を示している。
【００２５】
第１パネル２０は、アダプタ１１を露出する矩形状の表面部２１と、ラックの裏側に折り曲げられる第１折り曲げ部２２とを備える。表面部２１は、例えば、第２方向Ｄ２に延びると共に複数のアダプタ１１を露出する挿通孔２１ａを有する本体部２１ｂと、本体部２１ｂから更に第２方向Ｄ２の両端側に延びる一対の突出部２１ｃとを有する。前述したナイラッチ２は、第１パネル２０の第１方向Ｄ１に挿通されており、例えば、表面部２１の各突出部２１ｃを第１方向Ｄ１に貫通している。
【００２６】
表面部２１において、複数のアダプタ１１は、例えば、第２方向Ｄ２及び第３方向Ｄ３の双方に沿って格子状に配列されている。表面部２１には、例えば、複数のアダプタ１１のそれぞれを識別する識別番号Ｘ１，Ｘ２，Ｘ３，Ｘ４，Ｘ５，Ｘ６，Ｘ７，Ｘ８が表示されている。一例として、識別番号Ｘ１は「１」、識別番号Ｘ２は「２」、識別番号Ｘ３は「３」、識別番号Ｘ４は「４」、識別番号Ｘ５は「２１」、識別番号Ｘ６は「２２」、識別番号Ｘ７は「２３」、識別番号Ｘ８は「２４」である。
【００２７】
これにより、例えば、左から１番目且つ上から１番目のアダプタ１１は「１番」、右から１番目且つ上から４番目のアダプタ１１は「２４番」、左から３番目且つ上から２番目のアダプタ１１は「１０番」、というように各アダプタ１１を識別可能となる。なお、アダプタ取付構造の識別番号の態様は、表面部２１に示された識別番号Ｘ１〜Ｘ８に限られず、適宜変更可能である。
【００２８】
第１パネル２０は、第１方向Ｄ１に沿って曲げられた第１折り曲げ部２２を備えており、例えば、第１折り曲げ部２２は本体部２１ｂから第１方向Ｄ１に折り曲げられている。よって、第１折り曲げ部２２の第２方向Ｄ２の位置は、突出部２１ｃの第２方向Ｄ２の位置よりもアダプタ取付構造１０の内側に位置している。なお、第１折り曲げ部２２の詳細については後述する。
【００２９】
第２パネル３０は、例えば、第１パネル２０の表面部２１と各第１折り曲げ部２２とによって画成された空間に収容される。第１パネル２０と第２パネル３０とは複数のネジＮ１によって互いに固定される。第２パネル３０は、複数のアダプタ１１のそれぞれを固定する。各アダプタ１１には板バネ１１ａが設けられている。板バネ１１ａは、アダプタ１１が第２パネル３０に押し付けられたときに上方に押し広げられて第２パネル３０に引っ掛かる。これにより、各アダプタ１１が第２パネル３０に固定される。アダプタ取付構造１０に対するアダプタ１１の固定部は、第１パネル２０よりもラックの裏側に設けられる。
【００３０】
図３及び図４に示されるように、第２パネル３０は、各アダプタ１１が固定される本体部３１と、本体部３１の第２方向Ｄ２の両端のそれぞれから第１方向Ｄ１に折り曲げられる第２折り曲げ部３２とを備える。第２折り曲げ部３２は、第１パネル２０の第１折り曲げ部２２に沿うように折り曲げられる部位であって、例えば、第１折り曲げ部２２の反対側（ラックの表側）に折り曲げられる。第２折り曲げ部３２は、第１折り曲げ部２２よりもアダプタ取付構造１０の第２方向Ｄ２の内側に位置する。第２折り曲げ部３２は、第１折り曲げ部２２に挿通されたネジＮ１が挿入されるネジ穴３２ａを有する。第２折り曲げ部３２は、例えば、第３方向Ｄ３に並ぶ一対のネジ穴３２ａを有する。
【００３１】
図５は、第１パネル２０を示す斜視図である。図６は、第１パネル２０を第２方向Ｄ２から見た側面図である。図５及び図６に示されるように、表面部２１には、前述した挿通孔２１ａが形成されており、挿通孔２１ａは第１方向Ｄ１に貫通している。挿通孔２１ａは、例えば、第２方向Ｄ２に延びる長方形状とされている。一例として、表面部２１は、２つの挿通孔２１ａを有し、２つの挿通孔２１ａのそれぞれには１２個分（２連×６個）のアダプタ１１が挿通される。各挿通孔２１ａには、第１パネル２０の左右方向（第２方向）を識別するための切り欠き部２１ｅが形成されている。この切り欠き部２１ｅは挿通孔２１ａの左右方向（第２方向Ｄ２）のいずれかの部分にある場合に限らず、上下方向（第３方向Ｄ３）のいずれかの部分に形成されていてもよい。なお、複数の挿通孔２１ａそれぞれに各切り欠き部２１ｅを形成する場合は、各切り欠き部２１ｅを同じ方向に揃えておくことが好ましい。
【００３２】
表面部２１の突出部２１ｃは、前述したナイラッチ２が挿通される貫通孔２１ｄを有し、貫通孔２１ｄは第１方向Ｄ１に貫通している。第１折り曲げ部２２は、表面部２１の左右方向の両端からラックの裏側に延びる一対の第１側面部２３と、表面部２１の下端からラックの裏側に延びる底面部２４と、底面部２４の左右方向の両端から上方（第３方向Ｄ３）に延びる一対の第２側面部２５とを有する。
【００３３】
第１側面部２３は、突出部２１ｃよりも下方の部分から第１方向Ｄ１に延びている。第１側面部２３は、例えば、矩形板状とされており、第２方向Ｄ２に貫通するネジ穴２３ａを有する。ネジ穴２３ａには、前述したネジＮ１が第１側面部２３の第２方向Ｄ２の外側から挿通される。底面部２４は、例えば、表面部２１の下端から第１方向Ｄ１に延びている。例えば、底面部２４の第１方向Ｄ１の長さは、第１側面部２３の第１方向Ｄ１の長さの２倍程度とされている。
【００３４】
底面部２４は、第２パネル３０に下から対向する部位であって、例えば、矩形状とされている。底面部２４の第１側面部２３よりも後方（ラックの裏側）に第２側面部２５が設けられている。第２側面部２５は、底面部２４の第２方向Ｄ２の両端のそれぞれから第３方向Ｄ３（上方）に折り曲げられている。第２側面部２５は、第１側面部２３の後方に位置する後方部２５ａと、後方部２５ａから前方（ラックの表側）に延びると共に第１側面部２３の上方に位置する前方部２５ｂとを有する。
【００３５】
例えば、後方部２５ａは第３方向Ｄ３に沿って縦長に延びる長方形状とされており、前方部２５ｂは後方部２５ａの上側から前方に延びる長方形状とされている。例えば、第１側面部２３の第２方向Ｄ２の位置と、第２側面部２５の第２方向Ｄ２の位置とは、互いに略同一とされている。第２側面部２５は第１側面部２３と面一であってもよい。
【００３６】
例えば、第１側面部２３と第２側面部２５との間には、切り込み部２６が設けられている。切り込み部２６は、前方部２５ｂ及び表面部２１の間に位置する第１切り込み部２６ａと、前方部２５ｂ及び第１側面部２３の間に位置する第２切り込み部２６ｂと、後方部２５ａ及び第１側面部２３の間に位置する第３切り込み部２６ｃとを含んでいる。第１切り込み部２６ａ、第２切り込み部２６ｂ及び第３切り込み部２６ｃは、この順に連続している。第１切り込み部２６ａは表面部２１の裏側において下方に延び、第２切り込み部２６ｂは第１切り込み部２６ａの下端から後方に延び、第３切り込み部２６ｃは第２切り込み部２６ｂの後端から底面部２４まで延びている。
【００３７】
第２側面部２５の前方部２５ｂは、第２方向Ｄ２に貫通するネジ穴２５ｄを有する。ネジ穴２５ｄには、前述したネジＮ１が第２側面部２５の第２方向Ｄ２の外側から挿通される。ネジ穴２５ｄは、前述した第１側面部２３のネジ穴２３ａの上方に設けられ、例えば、ネジ穴２３ａ及びネジ穴２５ｄは第３方向Ｄ３に沿って配置されている。ネジ穴２３ａ及びネジ穴２５ｄのそれぞれに挿通されたネジＮ１が前述した第２折り曲げ部３２の各ネジ穴３２ａにねじ込まれることによって第１パネル２０と第２パネル３０とが互いに固定される。
【００３８】
図７は、第２パネル３０を前方（ラックの表側）から見た正面図である。図８は、第２パネル３０を示す斜視図である。図７及び図８に示されるように、本体部３１は、例えば、第１方向Ｄ１に貫通すると共にアダプタ１１を第１方向Ｄ１に挿通する複数の挿通孔３１ａを有する。一例として、本体部３１は、上下に並ぶ２個のアダプタ１１の組（２連アダプタ）のそれぞれを挿通する１２個（２段×６個）の挿通孔３１ａを有する。各挿通孔３１ａは、例えば、矩形状とされている。各挿通孔３１ａには、第２パネル３０の左右方向を識別するための切り欠き部３１ｂが形成されていてもよい。切り欠き部３１ｂは、挿通孔３１ａの左右方向（第２方向Ｄ２）のいずれかの部分ではなく、上下方向（第３方向Ｄ３）のいずれかの部分に形成されていてもよい。なお、複数の挿通孔３１ａのそれぞれに各切り欠き部３１ｂを形成する場合は、各切り欠き部３１ｂを同じ方向に揃えておくことが好ましい。
【００３９】
第２折り曲げ部３２と本体部３１との間には、第３方向Ｄ３に延びるスリット部３３が形成されている。例えば、一対のスリット部３３が本体部３１の第２方向Ｄ２の両端側のそれぞれに設けられている。各スリット部３３は第３方向Ｄ３に沿って延びている。第２折り曲げ部３２を曲げ加工により形成する際、スリット部３３に沿って折り曲げられ易くすることで、折り曲げ部近傍のネジ穴３２ａの変形を防止することができる。第２折り曲げ部３２において第３方向Ｄ３に沿って並ぶ一対のネジ穴３２ａは、前述したネジ穴２５ｄ及びネジ穴２３ａに対応して設けられる。
【００４０】
すなわち、第１方向Ｄ１及び第３方向Ｄ３において、上側のネジ穴３２ａの位置は第２側面部２５のネジ穴２５ｄの位置と一致し、下側のネジ穴３２ａの位置は第１側面部２３のネジ穴２３ａの位置と一致する。これにより、上側のネジ穴３２ａの第２方向Ｄ２の外側にネジ穴２５ｄが位置した状態でネジ穴２５ｄ及びネジ穴３２ａにネジＮ１がねじ込まれる。そして、下側のネジ穴３２ａの第２方向Ｄ２の外側にネジ穴２３ａが位置した状態でネジ穴２３ａ及びネジ穴３２ａにネジＮ１がねじ込まれることによって第１パネル２０と第２パネル３０とが互いに固定される。
【００４１】
次に、前述した第１実施形態に係るアダプタ取付構造１０の作用効果について詳細に説明する。例えば図３に示されるように、アダプタ取付構造１０は、ラックに固定されると共にアダプタを露出する第１パネル２０と、第１パネル２０に固定されると共にアダプタ１１を固定する第２パネル３０とを備える。よって、アダプタ取付構造１０はラックの表側に位置する第１パネル２０とラックの裏側に位置する第２パネル３０とを備え、２枚のパネルが一体となったパネルに複数のアダプタ１１のそれぞれが取り付けられる。従って、第１パネル２０及び第２パネル３０の２枚のパネルが一体となることによって強度を高めることができるので、パネルの変形を抑制することができる。
【００４２】
複数のアダプタ１１のそれぞれは、第１パネル２０からラックの表側に露出すると共に、第１パネル２０よりもラックの裏側に位置する第２パネル３０に固定される。従って、ラックの裏側に位置する第２パネル３０に各アダプタ１１が固定されることにより、第１パネル２０からのアダプタ１１の突出量を低減させることができる。よって、例えばアダプタ取付構造１０にアダプタ１１を識別する識別番号Ｘ１〜Ｘ８が設けられる場合であっても、各アダプタ１１の突出量が抑えられていることによって識別番号Ｘ１〜Ｘ８を見やすくすることができる。
【００４３】
第１パネル２０は、ラックの裏側に折り曲げられる第１折り曲げ部２２を有してもよい。この場合、第１パネル２０がラックの裏側に折り曲げられる第１折り曲げ部２２を有することにより、第１パネル２０の強度を高めることができる。従って、アダプタ１１に対する光コネクタの接続等に伴う第１パネル２０の変形をより確実に抑えることができる。
【００４４】
第２パネル３０は、第１折り曲げ部２２に沿うように折り曲げられる第２折り曲げ部３２を有してもよい。この場合、複数のアダプタ１１を固定する第２パネル３０が第２折り曲げ部３２を有するので、第２パネル３０の強度を高めることができる。従って、アダプタ１１への外力の付与に伴う第２パネル３０の変形をより確実に抑えることができる。
【００４５】
第１パネル２０は、アダプタ１１を露出する表面部２１を含んでいてもよい。第１折り曲げ部２２は、表面部２１の左右方向の両端からラックの裏側に延びる一対の第１側面部２３と、表面部２１の下端からラックの裏側に延びる底面部２４とを含んでもよい。この場合、第１折り曲げ部２２が一対の第１側面部２３と底面部２４とを含むことにより、第１パネル２０の強度を一層高めることができる。その結果、第１パネル２０の変形を一層確実に抑制することができる。
【００４６】
第１折り曲げ部２２は、底面部２４の左右方向の両端から上方に延びる一対の第２側面部２５を更に含んでもよい。この場合、第１折り曲げ部２２が第２側面部２５を更に含むことにより、光コネクタの接続等に伴う変形を更に確実に抑制することができる。
【００４７】
第１側面部２３及び第２側面部２５のそれぞれは、第２パネル３０にネジ止めされていてもよい。この場合、第１パネル２０の第１側面部２３及び第２側面部２５のそれぞれが第２パネル３０にネジ止めされることにより、第１パネル２０及び第２パネル３０の固定を一層強固にすることができると共に、第１パネル２０及び第２パネル３０の板金溶接等を不要とすることができる。すなわち、ネジ止めによって第１パネル２０及び第２パネル３０を互いに強固に固定することができ、板金溶接等による固定を不要とすることができる。従って、板金溶接等のコストを抑えることができると共に、第１パネル２０及び第２パネル３０の仕上がりの外観を良好にすることができる。
【００４８】
（第２実施形態）
次に、第２実施形態に係るアダプタ取付構造４０について図９及び図１０を参照しながら説明する。図９及び図１０に示されるように、アダプタ取付構造４０は、第１パネル２０及び第２パネル３０とは形状が異なる第１パネル５０及び第２パネル６０を備える。以下では、第１実施形態と重複する説明を適宜省略する。
【００４９】
第１パネル５０は、例えば、表面部２１と同様の表面部５１と、表面部５１の下端からラックの裏側に折り曲げられる第１折り曲げ部５２とを備える。第２パネル６０は、各アダプタ１１が固定される本体部３１と同様の本体部６１と、本体部６１の下端からラックの裏側に折り曲げられる第２折り曲げ部６２とを備える。第１折り曲げ部５２及び第２折り曲げ部６２は共にアダプタ１１よりもラックの裏側に延び出しており、第２折り曲げ部６２は第１折り曲げ部５２の上面５２ａに載せられている。
【００５０】
第１折り曲げ部５２及び第２折り曲げ部６２は、ネジＮ２がねじ込まれるネジ穴を有する。第１折り曲げ部５２のネジ穴及び第２折り曲げ部６２のネジ穴にネジＮ２がねじ込まれることによって第１パネル５０及び第２パネル６０は互いに固定される。例えば、第１折り曲げ部５２及び第２折り曲げ部６２は、第２方向Ｄ２に沿って並ぶ一対のネジＮ２によって互いに固定される。一例として、一対のネジＮ２は、アダプタ取付構造４０の第２方向Ｄ２の中央に対して互いに対称となる位置に設けられる。
【００５１】
以上、第２実施形態に係るアダプタ取付構造４０は、一体化した２枚のパネル（第１パネル５０及び第２パネル６０）に複数のアダプタ１１のそれぞれが取り付けられるので、パネルの変形を抑制することができる。また、ラックの裏側に位置する第２パネル６０に各アダプタ１１が固定されることにより、第１パネル５０からのアダプタ１１の突出量を低減させることができる。よって、識別番号Ｘ１〜Ｘ８を見やすくすることができる。
【００５２】
第１パネル５０は、ラックの裏側に折り曲げられる第１折り曲げ部５２を有してもよい。この場合、第１パネル５０の強度を高めることができると共に、アダプタ１１に対する光コネクタの接続等に伴う第１パネル５０の変形をより確実に抑えることができる。第２パネル６０は、ラックの裏側に折り曲げられる第２折り曲げ部６２を有してもよい。この場合、第２パネル６０の強度を高めることができると共に、アダプタ１１への外力の付与に伴う第２パネル６０の変形をより確実に抑えることができる。
【００５３】
以上、本開示に係るアダプタ取付構造の実施形態について説明した。しかしながら、本発明は、前述した実施形態及び前述した例のそれぞれに限定されることなく、請求の範囲に記載した要旨を逸脱しない範囲において種々の変形が可能である。すなわち、アダプタ取付構造の第１パネル及び第２パネルの各部の形状、大きさ及び配置態様は上記の要旨を逸脱しない範囲において適宜変更可能である。
【００５４】
例えば、前述の実施形態では、モジュール１に設けられたアダプタ取付構造１０について説明した。しかしながら、アダプタ取付構造が取り付けられるモジュールの形状、大きさ及びラックに対する取り付けの態様は、前述したモジュール１に限られず適宜変更可能である。すなわち、アダプタ取付構造１０は、モジュール１に設けられることなく単体でラック等に固定してアダプタパネルとして使用することも可能である。また、前述の実施形態では、単心のＬＣコネクタと多心のＭＰＯコネクタとを互いに光接続するＭＰＯカセットモジュールであるモジュール１について説明した。しかしながら、モジュールが接続する光コネクタの規格は、ＬＣ又はＭＰＯに限定されず適宜変更可能である。
【符号の説明】
【００５５】
１…モジュール、２…ナイラッチ、３…アダプタ、１０，４０…アダプタ取付構造、１１…アダプタ、１１ａ…板バネ、２０，５０…第１パネル、２１，５１…表面部、２１ａ…挿通孔、２１ｂ…本体部、２１ｃ…突出部、２１ｄ…貫通孔、２１ｅ…切り欠き部、２２，５２…第１折り曲げ部、２３…第１側面部、２３ａ…ネジ穴、２４…底面部、２５…第２側面部、２５ａ…後方部、２５ｂ…前方部、２５ｄ…ネジ穴、２６…切り込み部、２６ａ…第１切り込み部、２６ｂ…第２切り込み部、２６ｃ…第３切り込み部、３０，６０…第２パネル、３１，６１…本体部、３１ａ…挿通孔、３１ｂ…切り欠き部、３２，６２…第２折り曲げ部、３２ａ…ネジ穴、３３…スリット部、５２ａ…上面、Ｄ１…第１方向、Ｄ２…第２方向、Ｄ３…第３方向、Ｎ１,Ｎ２…ネジ、Ｘ１，Ｘ２，Ｘ３，Ｘ４，Ｘ５，Ｘ６，Ｘ７，Ｘ８…識別番号。
【図１】
2020085395.tif 000003
【図２】
2020085395.tif 000004
【図３】
2020085395.tif 000005
【図４】
2020085395.tif 000006
【図５】
2020085395.tif 000007
【図６】
2020085395.tif 000008
【図７】
2020085395.tif 000009
【図８】
2020085395.tif 000010
【図９】
2020085395.tif 000011
【図１０】
2020085395.tif 000012
【国際調査報告】
2020085395.tif 000013
2020085395.tif 000014